(57)【要約】【課題】ユーザの嗜好により適合した番組表を表示することができる番組表表示装置及び方法を提供する。【解決手段】所定の期間におけるテレビ放送の番組のジャンル毎の視聴時間又は録画時間を測定し、その測定時間のジャンル毎の時間割合を算出し、時間割合が所定値以下のジャンルの全ての番組のセル内の文字情報を消去して番組表を作成する。【選択図】図５
2008252588.tif 000002
【特許請求の範囲】
【請求項１】
複数のチャンネルのテレビ放送の番組情報を記憶する番組情報記憶手段と、
前記番組情報記憶手段に記憶された番組情報に基づいて、チャンネル軸と時間軸とからなり番組毎に文字情報が配置されるセルを有する番組表を作成する番組表作成手段と、
前記番組表作成手段によって作成された番組表を表示する表示手段と、を備えた番組表表示装置であって、
前記番組表作成手段は、
所定の期間におけるテレビ放送の番組のジャンル毎の視聴時間又は録画時間を測定して測定時間のジャンル毎の時間割合を算出する算出手段と、
前記算出手段によって算出された時間割合が所定値以下のジャンルを検出する検出手段と、を備え、
前記検出手段によって検出されたジャンルの全ての番組のセル内の文字情報を消去して前記番組表を作成することを特徴とする番組表表示装置。
【請求項２】
前記番組表作成手段は、前記番組表のうちの番組の文字情報が消去されたセルだけの時間帯の表示幅を圧縮することを特徴とする請求項１記載の番組表表示装置。
【請求項３】
前記番組表作成手段は、前記番組表のうちの番組の文字情報が消去されたセルだけのチャンネルの表示幅を圧縮することを特徴とする請求項１記載の番組表表示装置。
【請求項４】
複数のチャンネルのテレビ放送の番組情報を記憶手段に記憶し、
前記記憶手段に記憶された番組情報に基づいて、チャンネル軸と時間軸とからなり番組毎に文字情報が配置されるセルを有する番組表を作成してその記番組表を表示する番組表表示方法であって、
所定の期間におけるテレビ放送の番組のジャンル毎の視聴時間又は録画時間を測定して測定時間のジャンル毎の時間割合を算出し、
前記時間割合が所定値以下のジャンルを検出し、
前記時間割合が所定値以下のジャンルの全ての番組のセル内の文字情報を消去して前記番組表を作成することを特徴とする番組表表示方法。
【発明の詳細な説明】
【技術分野】
【０００１】
本発明は、テレビ放送の番組表を表示する番組表表示装置及び方法に関する。
【背景技術】
【０００２】
テレビ放送の番組表を表示する際に、ユーザの嗜好に適合させて表示する番組表表示装置がある（特許文献１参照）。このような従来の番組表表示装置においては、テレビ放送電波に重畳されているＥＰＧ（電子番組ガイド）データと、ユーザの嗜好情報とから推薦番組を選択することが行われ、番組表が例えば、図１に示すように、その選択した推薦番組だけの番組枠（セル）内に番組名等の文字情報が表示され、それ以外の番組の番組枠内は空欄となって表示される。
【特許文献１】ＷＯ２００５／０２７５１２
【発明の開示】
【発明が解決しようとする課題】
【０００３】
かかる従来の番組表表示装置においては、ユーザの嗜好情報を番組のジャンルとして検出しており、視聴時間や録画時間の時間割合が多い上位所定数のジャンル、例えば、５つのジャンルが検出されている。しかしながら、ユーザによってはこのような嗜好情報の検出ではユーザの嗜好に適合した番組表表示とならないという問題があった。例えば、ジャンルとしてドラマ、映画及びニュース以外はほとんど視聴しないユーザＡと、バラエティと公演以外は広く聴視するユーザＢの所定期間内の各ジャンルの視聴時間割合が図２に示す通りであるとする。５つのジャンルが嗜好情報として検出される場合にはユーザＡの検出嗜好情報はバラエティ、ドラマ、映画、ニュース、アニメとなり、ユーザＢの検出嗜好情報は映画、アニメ、スポーツ、音楽、趣味・教養となる。よって、ユーザＡの場合にはそれほど好みでないバラエティやアニメの番組も番組表には推薦番組として表示され、逆に、ユーザＢの場合にはドラマやニュースも視聴したいにも関わらず、番組表には推薦番組として表示されないという不具合が生じる。
【０００４】
そこで、本発明が解決しようとする課題には、上記の欠点が一例として挙げられ、ユーザの嗜好により適合した番組表を表示することができる番組表表示装置及び方法を提供することが本発明の目的である。
【課題を解決するための手段】
【０００５】
請求項１に係る発明の番組表表示装置は、複数のチャンネルのテレビ放送の番組情報を記憶する番組情報記憶手段と、前記番組情報記憶手段に記憶された番組情報に基づいて、チャンネル軸と時間軸とからなり番組毎に文字情報が配置されるセルを有する番組表を作成する番組表作成手段と、前記番組表作成手段によって作成された番組表を表示する表示手段と、を備えた番組表表示装置であって、前記番組表作成手段は、所定の期間におけるテレビ放送の番組のジャンル毎の視聴時間又は録画時間を測定して測定時間のジャンル毎の時間割合を算出する算出手段と、時間割合が所定値以下のジャンルを検出する検出手段と、を備え、前記検出手段によって検出されたジャンルの全ての番組のセル内の文字情報を消去して前記番組表を作成することを特徴としている。
【０００６】
請求項４に係る発明の番組表表示方法は、複数のチャンネルのテレビ放送の番組情報を記憶手段に記憶し、前記記憶手段に記憶された番組情報に基づいて、チャンネル軸と時間軸とからなり番組毎に文字情報が配置されるセルを有する番組表を作成してその記番組表を表示する番組表表示方法であって、所定の期間におけるテレビ放送の番組のジャンル毎の視聴時間又は録画時間を測定して測定時間のジャンル毎の時間割合を算出し、前記時間割合が所定値以下のジャンルを検出し、前記時間割合が所定値以下のジャンルの全ての番組のセル内の文字情報を消去して前記番組表を作成することを特徴としている。
【発明を実施するための最良の形態】
【０００７】
請求項１に係る発明の番組表表示装置及び請求項４に係る発明の番組表表示方法においては、所定の期間におけるテレビ放送の番組のジャンル毎の視聴時間又は録画時間が測定され、その測定時間のジャンル毎の時間割合が算出され、その時間割合が所定値以下のジャンルが負の嗜好情報として検出される。そして、検出した時間割合が所定値以下のジャンルの全ての番組のセル内の文字情報を消去した番組表が作成される。よって、番組表としてはユーザが頻繁に視聴するジャンルの番組だけが、いわゆるお勧め番組として表示される。
【実施例】
【０００８】
以下、本発明の実施例を図面を参照しつつ詳細に説明する。
【０００９】
図３は本発明の番組表表示装置及び方法が適用されたテレビジョン受像機を示している。このテレビジョン受像機はＴＶチューナ１、映像音声駆動部２、表示器３、スピーカ４、ＥＰＧ取得部５、ＥＰＧ記憶部６、制御部７、番組表作成部８、操作部９及びメモリ１０を備えている。
【００１０】
ＴＶチューナ１はアンテナ２１を介して複数の受信チャンネルのうちのいずれか１チャンネルのテレビ放送波を受信しその受信信号を復調してアナログのビデオ信号及びオーディオ信号（すなわち放送映像信号）を映像音声駆動部２に出力する。ＴＶチューナ１の受信チャンネルは制御部６の指令に応じて選択される。
【００１１】
映像音声駆動部２はＴＶチューナ１の出力に接続され、ＴＶチューナ１の出力ビデオ信号に応じて表示器３を駆動し、それによりビデオ信号が示す映像を表示器３に表示させる。また、映像音声駆動部２はＴＶチューナ１の出力オーディオ信号に応じてスピーカ４を駆動し、それによりオーディオ信号に応じた音声がスピーカ４から出力される。
【００１２】
ＥＰＧ取得部５はＴＶチューナ１に接続されており、特定チャンネルの受信信号中に含まれているＥＰＧ、すなわち放送波に重畳されている番組情報を抽出してその抽出した番組情報をデータとしてＥＰＧ記憶部６に出力する。番組情報には番組毎に番組名（タイトル）、放送チャンネル、番組のジャンル及び番組の放送日時（放送開始時間及び終了時間を含む）が少なくとも含まれる。また、ＥＰＧ記憶部６はＥＰＧ取得部５によって得られた番組情報を例えば、少なくとも１週間分を保持する。
【００１３】
制御部７は例えば、マイクロコンピュータからなり、予め定められたプログラムに従ってこのテレビジョン受像機の動作を制御する。
【００１４】
番組表作成部８は制御部７の指令に応じて番組表を作成してそれを番組表表示データとして映像音声駆動部２に出力する。映像音声駆動部２は番組表表示データが供給されると、ビデオ信号に代えて番組表表示データに応じて表示器３を駆動し、それにより番組表表示データが示す番組表映像を表示器３に表示させる。
【００１５】
操作部９はユーザによるチャンネル切り替え等の入力操作を受け入れてその入力操作に応じた指令を制御部７に供給する。メモリ１０は後述のジャンル別視聴時間をデータとして記憶する。
【００１６】
なお、ＥＰＧ記憶部６、制御部７、番組表作成部８、操作部９及びメモリ１０は共通のバス１１によって互いに接続されている。
【００１７】
かかる構成のテレビジョン受像機において、制御部７は所定の周期で番組視聴時間計測処理を実行する。番組視聴時間計測処理では、制御部７は先ず、図４に示すように、ＴＶチューナ１のその時点の選択チャンネル（受信チャンネル）に対応した番組情報をＥＰＧ記憶部６から読み出し（ステップＳ１）、その番組情報から受信チャンネルの番組及びそのジャンルを検出する（ステップＳ２）。
【００１８】
今回のステップＳ２の実行で得られた番組は前回のステップＳ２の番組と同一であるか否かが判別される（ステップＳ３）。同一番組でないならば、その変化前の番組の視聴時間が所定時間（例えば、５分）以上であったか否かが判別される（ステップＳ４）。視聴時間は図示しない視聴時間カウンタによって計測される。テレビジョン受像機の電源投入直後において視聴時間カウンタはリセットされて時間計測が開始される。
【００１９】
変化前の番組の視聴時間が所定時間以上であれば、その変化前の番組、ジャンル及び視聴時間が視聴番組データとしてメモリ１０に記憶される（ステップＳ５）。そして視聴時間カウンタがリセットされて時間計測が開始される（ステップＳ６）。ステップＳ６により、現在の視聴番組の視聴時間の計測が開始される。
【００２０】
このように番組視聴時間計測処理が繰り返されることによりユーザが視聴した番組についてのジャンルと視聴時間とが視聴番組データとして得られる。視聴番組データはメモリ１０に記録されてから所定の期間（例えば、１ヶ月間）は保持されるとする。視聴番組データはユーザが視聴した番組毎に作成されて保存される。
【００２１】
ジャンルとしては、バラエティ、ドラマ、映画、ニュース、アニメ、スポーツ、音楽、趣味・教養、ドキュメンタリー、公演が用意されているとする。
【００２２】
番組視聴時間計測処理によって計測された過去、所定の期間内の視聴番組全ての視聴時間に基づいて番組表表示制御処理が制御部７によって行われる。番組表表示制御処理は例えば、毎日の所定時刻に実行される。
【００２３】
番組表表示制御処理において制御部７は、図５に示すように、先ず、各ジャンルの合計視聴時間を算出し（ステップＳ１１）、各ジャンルの視聴時間割合を算出する（ステップＳ１２）。制御部７は、メモリ１０に書き込まれた過去、所定の期間内の視聴番組データを全て読み出し、ジャンル毎に視聴番組データに示された視聴時間を加算してジャンル毎の合計視聴時間を算出し、更に全視聴時間を算出し、ジャンル毎の合計視聴時間×１００／全視聴時間によって視聴時間割合（％）を算出する。バラエティの合計視聴時間をＴｖ、ドラマの合計視聴時間をＴｄ、映画の合計視聴時間をＴｔ、ニュースの合計視聴時間をＴｎ、アニメの合計視聴時間をＴａ、スポーツの合計視聴時間をＴｓ、音楽の合計視聴時間をＴｍ、趣味・教養の合計視聴時間をＴｅ、ドキュメンタリーの合計視聴時間をＴｋ、公演の合計視聴時間をＴｐとする。更に、全視聴時間をＴsumとすると、Ｔsum＝Ｔｖ＋Ｔｄ＋Ｔｔ＋Ｔｎ＋Ｔａ＋Ｔｓ＋Ｔｍ＋Ｔｅ＋Ｔｋ＋Ｔｐ如く算出される。よって、ジャンル毎の視聴時間はＴｖ×１００／Ｔsum，Ｔｄ×１００／Ｔsum，Ｔｔ×１００／Ｔsum，……，Ｔｐ×１００／Ｔsumの如く算出される。
【００２４】
視聴時間割合の算出後、制御部７は視聴時間割合が所定値（例えば、５％）以下のジャンルを検出し（ステップＳ１３）、検出したジャンルの番組セル内の文字情報を消去した番組表の作成を番組表作成部８に指示する（ステップＳ１４）。
【００２５】
番組表作成部８は、図６に示すように、番組表作成指示に応じてＥＰＧ記憶部６から得られた番組情報に基づいて番組表を作成する（ステップＳ２１）。番組表は、横にチャンネル（テレビ局）、縦に放送時間からなり、チャンネルと放送時間とから定まる番組各々がセル（枠）によって仕切られる。セル内に文字情報として少なくとも番組名が配置される。番組表作成部８は、番組表のうちの各セルのうちから、番組表表示制御処理において検出されたジャンルの番組セル内の文字情報を消去する（ステップＳ２２）。更に、番組表のうちに消去部分のみの時間帯があるか否かを判別する（ステップＳ２３）。これは同一時間帯において全てのチャンネルの番組セル内の文字情報が消去された時間範囲があるか否かの判別である。時間範囲としては例えば、１時間以上の時間帯である。番組表のうちに消去部分のみの時間帯がある場合にはその消去部分のみの時間帯の表示幅を圧縮する（ステップＳ２４）。すなわち、通常の１時間当たりの番組セルの縦幅を例えば、１／４に時間軸圧縮するのである。
【００２６】
また、番組表のうちに消去部分のみのチャンネルがあるか否かを判別する（ステップＳ２５）。これは番組表としての表示時間帯内で全て番組セル内の文字情報が消去されたチャンネルがあるか否かの判別である。番組表のうちに消去部分のみのチャンネルがある場合にはそのチャンネルの横方向（チャンネル軸）の表示幅を圧縮する（ステップＳ２６）。番組表作成部８は、このような動作によって番組表を作成して作成し、その番組表を示す番組表表示データを更新保持する（ステップＳ２７）。
【００２７】
操作部９において番組表を表示するためのユーザ操作が行われると、制御部７は番組表作成部８に対して番組表表示指令を発する。番組表表示指令に応じて番組表作成部８はステップＳ２７で保持した番組表表示データを映像音声駆動部２に出力する。映像音声駆動部２は番組表表示データが供給されると、ビデオ信号に代えて番組表表示データに応じて表示器３を駆動する。これによって、例えば、図７に示すように、番組表表示データが示す番組表映像が表示器３に表示される。図７において、文字情報が表示された番組セルが、ステップＳ１２で検出された視聴時間割合が所定値より大であったジャンルの番組である。逆に、文字情報が表示されていない番組セルが、ステップＳ１２で検出された視聴時間割合が所定値以下であったジャンルの番組である。また、２１：００〜２３：００の時間帯では全てのチャンネルで文字情報が表示されていない番組セルであったために時間軸圧縮がされている。チャンネルＴＶＢ，ＴＶＤ，ＴＶＧ〜ＴＶＩ，ＴＶＬ，ＴＶＭは表示時間帯１８：００〜２４：００の全て番組セル内の文字情報が消去されたチャンネルであるので、横方向のチャンネル時間が圧縮されている。
【００２８】
よって、番組表としてはユーザが頻繁に視聴するジャンルの番組だけが、いわゆるお勧め番組として表示される。更に、時間軸及びチャンネル軸の圧縮により、表示器３に一度に表示することができるチャンネル数及び時間帯を多くすることができる。
【００２９】
なお、番組表のうちに消去部分のみの時間帯がある場合にはその消去部分のみの時間帯をステップＳ２４では番組表から削除しても良い。また、番組表のうちに消去部分のみのチャンネルがある場合にはステップＳ２６ではそのチャンネルの表示部分を全て削除しても良い。
【００３０】
また、番組表において操作部９の操作に応じてカーソル移動ができるようにして文字情報が消去された番組セルにカーソルが位置したときにその消去された文字情報が別枠表示（ウインドウ表示）されるようにしても良い。
【００３１】
更に、表示された番組セル（文字情報が消去されたセルを含む）内を、ジャンル毎に異なる背景色で表示するようにしても良い。番組表は縦方向がチャンネル軸で横方向が時間軸でも良い。
【００３２】
上記した実施例においては、制御部７と番組表作成部８とが個別に設けられているが、単一の制御部として形成しても良い。
【００３３】
本発明はテレビジョン受像機だけでなく、記録媒体に記録する機能を有するＤＶＤレコーダ、ＨＤＤレコーダ等のレコーダの他、ケーブルテレビ用ＨＤＤ内蔵のセットトップボックスやＴＶチューナに適用することができる。レコーダの場合には視聴時間ではなく、録画時間を測定して録画時間割合が所定値以下であったジャンルの番組が検出されるようにしても良い。
【図面の簡単な説明】
【００３４】
【図１】従来の番組表表示装置による番組表の表示例を示す図である。
【図２】ユーザ毎のジャンル別の視聴時間割合の例を示す図である。
【図３】本発明が適用されたテレビジョン受像機の構成を示すブロック図である。
【図４】番組視聴時間計測処理を示すフローチャートである。
【図５】番組表表示制御処理を示すフローチャートである。
【図６】番組表作成部の動作を示すフローチャートである。
【図７】図３の受像機の表示器に表示される番組表の表示例を示す図である。
【符号の説明】
【００３５】
１  ＴＶチューナ
２  映像音声駆動部
３  表示器
５  ＥＰＧ取得部
６  ＥＰＧ記憶部
７  制御部
８  番組表作成部
【図１】
2008252588.tif 000003
【図２】
2008252588.tif 000004
【図３】
2008252588.tif 000005
【図４】
2008252588.tif 000006
【図５】
2008252588.tif 000007
【図６】
2008252588.tif 000008
【図７】
2008252588.tif 000009